(57)【要約】【課題】  本発明は、前面と背面とを貫通する植生孔を通じて広い植生空間を確保することができるだけでなく、噛合い結合を通じた組立式組積により擁壁の堅固性及び施工の容易性を格段に向上させることができる親環境植生ブロック及びこれを用いた施工方法を提供するためのものである。【解決手段】  本発明は、矩形の前面Ａと背面Ｂとが備えられて所定の厚さで形成され、前面Ａと背面Ｂとを貫通して形成された多角形または円形の植生孔１０と、下面Ｄに形成された第１突出部２２と、第１突出部２２と対応するように上面Ｃに形成された第１溝部３２と、左右側面Ｅ、Ｆのうちのいずれか一面に形成された第２突出部２４と、第２突出部２４と対応するように前記左右側面Ｅ、Ｆのうちの他面に形成された第２溝部３４とが備えられたことを特徴とする親環境植生ブロックが提供される。【選択図】図１
2011144614.tif 000002
【特許請求の範囲】
【請求項１】
斜面、河岸、海岸、用水路などの補強及び緑化のために使われる植生ブロックであって、
四角形の前面Ａと背面Ｂとが備えられて所定の厚さで形成され、
前記前面Ａと背面Ｂとを貫通して形成された多角形または円形の植生孔１０と、
下面Ｄに形成された第１突出部２２と、
前記第１突出部２２と対応するように上面Ｃに形成された第１溝部３２と、
左右側面Ｅ、Ｆのうちのいずれか一面に形成された第２突出部２４と、
前記第２突出部２４と対応するように前記左右側面Ｅ、Ｆのうちの他面に形成された第２溝部３４が備えられたことを特徴とする親環境植生ブロック。
【請求項２】
前記植生孔１０の先端に第１植生網４０ａ、４０ａ′が固定設置されたことを特徴とする請求項１に記載の親環境植生ブロック。
【請求項３】
前記先端の縁に突出されたり段差付けて形成された安着面１２、１２′が備えられ、
前記第１植生網４０ａ、４０ａ′が前記安着面１２、１２′にボルト結合されたことを特徴とする請求項２に記載の親環境植生ブロック。
【請求項４】
前記植生孔１０の後段に第２植生網４０ｂが固定設置されたことを特徴とする請求項２に記載の親環境植生ブロック。
【請求項５】
前記前面Ａは凹または凸状の模様５０が更に形成されたことを特徴とする請求項１に記載の親環境植生ブロック。
【請求項６】
前記植生孔１０は多数備えられて格子または放射状で配列されたことを特徴とする請求項１に記載の親環境植生ブロック。
【請求項７】
斜面、河岸、海岸、用水路などの補強及び緑化のために使われる植生ブロックであって、
四角形の前面Ａと背面Ｂとが備えられて所定の厚さで形成され、前記前面Ａと背面Ｂとを貫通して形成された多角形または円形の植生孔１０を備えた第１ブロック６０と第２ブロック７０とからなり、
前記第１ブロック６０は、上面Ｃ、下面Ｄ、及び左側面Ｅに、第３乃至第５突出部６１、６２、６３が各々形成され、右側面（Ｆ）には第３溝部６５が形成され、
前記第２ブロック７０は、前記第３乃至第５突出部６１、６２、６３と各々対応する第４乃至第６溝部７１、７２、７３が下面Ｄ、上面Ｃ、及び右側面Ｆに各々形成され、前記第３溝部６５と対応する第６突出部７５が左側面Ｅに形成されたことを特徴とする親環境植生ブロック。
【請求項８】
請求項１乃至請求項６のうち、いずれか１つに従う植生ブロック１を用いて擁壁を施工する方法であって、
前記植生ブロック１の第１突出部２２または第１溝部３２と対応する結合溝２３１または結合突起２３３、２３３′が備えられた水平側基壇部２１０と、前記植生ブロック１の第２突出部２４または第２溝部３４と対応する結合溝２３１または結合突起２３３、２３３′が備えられ、前記水平側基壇部２１０と所定の傾斜をなして平行に形成される複数の垂直側基壇部２２０を施工対象の地盤に形成させる第１ステップ（Ｓ１００）と、
多数の前記植生ブロック１を前記水平側基壇部２１０と前記垂直側基壇部２２０に噛合い結合させて１段組積する第２ステップ（Ｓ２００）と、
裏埋材３００を盛土し、固める第３ステップ（Ｓ３００）と、
前記第２及び第３ステップ（Ｓ２００、Ｓ３００）と同一な方式の擁壁築造過程を反復遂行する第４ステップ（Ｓ４００）と、
を含むことを特徴とする親環境植生ブロックを用いた施工方法。
【請求項９】
前記水平側基壇部２１０と前記垂直側基壇部２２０は、前記結合溝２３１または結合突起２３３、２３３′形態を有するブロック固定用金属部材２３０ａ、２３０ｂ、２３０ｃが固定されたことを特徴とする請求項８に記載の親環境植生ブロックを用いた施工方法。
【請求項１０】
前記第３ステップ（Ｓ３００）は、前記植生ブロック１の植生孔１０に植物の種や根が含まれた植生土を具備させるステップを更に含むことを特徴とする請求項８に記載の親環境植生ブロックを用いた施工方法。
【発明の詳細な説明】
【技術分野】
【０００１】
本発明は、擁壁を築造することに使われるブロックに関し、より詳しくは、前面と背面とを貫通する植生孔を通じて広い植生空間が確保できるだけでなく、噛合い結合を通じた組立式組積により道路の法面や河川、江、湖水など、斜面の堅固性及び施工の容易性を格段に向上させることができる親環境植生ブロック及びこれを用いた施工方法に関する。
【背景技術】
【０００２】
擁壁は、各種工事によって形成された切土面、盛土面のような斜面の崩壊を防止するための壁体構造物である。擁壁はその築造形態に従いコンクリートを打設して形成させる一体式擁壁と、石材やコンクリートブロックを用いた組積式擁壁とに分けられる。
【０００３】
一方、環境保護及び生態系復元に対する関心が増加するにつれて、擁壁の前面に草・木本類が植生できるようにした親環境技術が導入されている。このような親環境技術は、一体式擁壁の場合、その構造上、別途の植生空間を設けることが困難であるので、主に組積式擁壁に使われる植生ブロックが開発されている実状である。
【０００４】
このような植生ブロックの従来技術として、大韓民国登録特許第０９１４３９４号、第０３９１８３４号、第０５１５１３６号などがある。このような従来の植生ブロックは共通的にブロックの内側前方部に植生空間が備えられ、ブロックを階段式で積層することで、植物が植生空間の土壌で生育するようになる構造を持っている。
【０００５】
しかしながら、従来技術に従う植生ブロックは、次のような問題点がある。
【０００６】
第１に、植生空間が擁壁の背面の土壌から孤立される構造であるため、植物の生育環境が劣っている問題点がある。即ち、植生空間が狭いだけでなく、植物の根の成長が制限されて植物がよく育たれなくて枯死しやすい。
【０００７】
第２に、石材やコンクリートブロックを用いて、河岸、海岸、用水路などに擁壁構造物を設置する場合、水草の生育を妨害して水辺の生態系を破壊し、水質を悪化させる問題点があるが、従来の植生ブロックはこれを解決できない。
【０００８】
第３に、従来の植生ブロックはブロック間の締結は考慮されず、単純積層されるので、擁壁が堅くないという問題点がある。また、植物の根が育つにつれて擁壁が強化される２次的な効果が期待できない。したがって、擁壁の施工後、背面で発生する土圧、水圧などにより擁壁が捩れるとか、膨らみ現象が発生するようになり、甚だしい場合、擁壁が崩れるようになる。このために、補強土工法を適用したり、別の排水構造を設置するようになるが、これは擁壁の施工手続きが複雑になるだけでなく、施工コストが格段に増加する要因となっている。
【発明の概要】
【発明が解決しようとする課題】
【０００９】
本発明は、上記のような問題を解決するためのものであって、本発明の目的は、植生空間を十分確保することができ、植物の生育環境が大幅改善できる親環境植生ブロック及びこれを用いた施工方法を提供することにある。
【００１０】
本発明の他の目的は、河岸、海岸、用水路などへの適用時、水辺生態系の保存及び復元が可能な親環境植生ブロック及びこれを用いた施工方法を提供することにある。
【００１１】
本発明の更に他の目的は、堅い擁壁を築造することができ、容易な施工手続きと施工コストを低減することができる親環境植生ブロック及びこれを用いた施工方法を提供することにある。
【課題を解決するための手段】
【００１２】
上記のような本発明の目的は、四角形の前面Ａと背面Ｂとが備えられて所定の厚さで形成され、そして、前面Ａと背面Ｂとを貫通して形成された多角形または円形の植生孔１０と、下面Ｄに形成された第１突出部２２と、第１突出部２２と対応するように上面Ｃに形成された第１溝部３２と、左右側面Ｅ、Ｆのうちのいずれか一面に形成された第２突出部２４と、第２突出部２４と対応するように左右側面Ｅ、Ｆのうちの他面に形成された第２溝部３４とが備えられたことを特徴とする親環境植生ブロックにより達成できる。
【００１３】
そして、植生孔１０の先端に第１植生網４０ａ、４０ａ′が固定設置される。この際、先端の縁に突出されたり段差付けて形成された安着面１２、１２′が備えられ、第１植生網４０ａ、４０ａ′が安着面１２、１２′にボルト結合されることが好ましい。そして、植生孔１０の後段に第２植生網４０ｂが更に固定設置できる。
【００１４】
そして、前面Ａは凹または凸状の模様５０が更に形成できる。
【００１５】
そして、本発明に従う植生ブロックは、植生孔１０が多数備えられて格子または放射状で配列できる。
【００１６】
また、四角形の前面Ａと背面Ｂとが備えられて所定の厚さで形成され、前面Ａと背面Ｂとを貫通して形成された多角形または円形の植生孔１０を備えた第１ブロック６０と第２ブロック７０とからなり、そして第１ブロック６０は、上面Ｃ、下面Ｄ、及び左側面Ｅに、第３乃至第５突出部６１、６２、６３が各々形成され、右側面Ｆには第３溝部６５が形成され、第２ブロック７０は、第３乃至第５突出部６１、６２、６３と各々対応する第４乃至第６溝部７１、７２、７３が下面Ｄ、上面Ｃ、及び右側面Ｆに各々形成され、第３溝部６５と対応する第６突出部７５が左側面Ｅに形成されたことを特徴とする親環境植生ブロックによっても達成できる。
【００１７】
一方、上記のような本発明の目的は、植生ブロック１の第１突出部２２または第１溝部３２と対応する結合溝２３１または結合突起２３３、２３３′が備えられた水平側基壇部２１０と、上記植生ブロック１の第２突出部２４または第２溝部３４と対応する結合溝２３１または結合突起２３３、２３３′が備えられ、水平側基壇部２１０と所定の傾斜をなして平行に形成される複数の垂直側基壇部２２０を施工対象の地盤に形成させる第１ステップ（Ｓ１００）と、多数の植生ブロック１を水平側基壇部２１０と垂直側基壇部２２０に噛合い結合させて１段組積する第２ステップ（Ｓ２００）と、裏埋材３００を盛土し、固める第３ステップ（Ｓ３００）と、第２及び第３ステップ（Ｓ２００、Ｓ３００）と同一な方式の擁壁築造過程を反復遂行する第４ステップ（Ｓ４００）と、を含むことを特徴とする親環境植生ブロックを用いた施工方法によっても達成できる。
【００１８】
そして、水平側基壇部２１０及び垂直側基壇部２２０は、結合溝２３１または結合突起２３３、２３３′形態を持つブロック固定用金属部材２３０ａ、２３０ｂ、２３０ｃが固定される。
【００１９】
そして、第３ステップ（Ｓ３００）は、植生ブロック１の植生孔１０に植物の種や根が含まれた植生土を具備させるステップを更に含むことができる。
【発明の効果】
【００２０】
本発明に従う親環境植生ブロック及びこれを用いた施工方法は、前面と背面とを貫通する植生孔を通じて充分の植生空間を確保することができ、植物の根が擁壁の背面土壌まで成長できるので、植物の生長が促進される利点がある。そして、植物の根の成長により擁壁が次第に強化される利点がある。そして、植生網により植生孔の内部の土壌が過度に流失されることを防止することができ、植生孔を通じて擁壁の背面の雨水または地下水が自然排水されて擁壁の安定性をより増進させることができる。
【００２１】
また、本発明の植生ブロックは、河岸、海岸、用水路などに適用可能な利点がある。即ち、植生孔で水草が植生できるようになって、水辺生態系の保存及び復元が可能であり、これを通じて水質改善をなすことができる。
【００２２】
また、本発明は擁壁を組立式で簡便に築造できる利点がある。そして、ブロックが上下左右に噛合い結合されて擁壁の耐久性及び寿命が格段に向上し、施工手続きが単純であって、施工コストが低減される利点がある。
【００２３】
たとえ本発明が前述した好ましい実施形態と関連して説明されたが、本発明の要旨と範囲から外れることなく、他の多様な修正及び変形が可能であることは当業者であれば容易に認識することができ、このような変更及び修正が全て添付された特許請求範囲に属することは自明である。
【図面の簡単な説明】
【００２４】
【図１】本発明の第１実施形態に従う親環境植生ブロックを示す分解斜視図である。
【図２】図１の結合状態を示す植生ブロックの底面斜視図である。
【図３】第１実施形態に従う植生ブロックの変形例を示す分解斜視図である。
【図４】第１実施形態に従う植生ブロックの他の変形例を示す側断面図である。
【図５ａ】第１実施形態に従う植生ブロックの組積例を示す図である。
【図５ｂ】第１実施形態に従う植生ブロックの他の組積例を示す図である。
【図６】本発明の第２実施形態に従う親環境植生ブロックを示す斜視図である。
【図７ａ】本発明の第３実施形態に従う親環境植生ブロックを示す斜視図である。
【図７ｂ】第３実施形態に従う植生ブロックの組積例を示す図である。
【図８】本発明に従う親環境植生ブロックを用いた施工方法を示すフローチャートである。
【図９】本発明に従う植生ブロックの施工方法を説明するための概略的な鳥瞰図である。
【図１０】本発明に従う親環境植生ブロックを用いて施工された河川や用水路を示す概略断面図である。
【発明を実施するための形態】
【００２５】
以下、本発明の好ましい実施形態を添付した図面を参照しつつ詳細に説明する。各図面の構成要素に参照符号を付加するに当たって、同一な構成要素に対しては、たとえ他の図面上に表示されてもできる限り同一な符号を使用する。
【００２６】
（第１実施形態）
まず、添付された図面を参照しつつ本発明の第１実施形態に従う親環境植生ブロックの構成について説明する。
【００２７】
図１は本発明の第１実施形態に従う親環境植生ブロックを示す分解斜視図であり、図２は図１の結合状態を示す植生ブロックの底面斜視図である。第１実施形態に従う植生ブロックは、図１及び図２に示すように、全体的に前面Ａ、背面Ｂ、上面Ｃ、下面Ｄ、左側面Ｅ、及び右側面Ｆを備えた直六面体形状を持つ。そして、植生ブロックの前面Ａと背面Ｂとの間に厚さが前面Ａの横または縦の長さより小さく形成されてパネル形態で製作されることが好ましい。また、植生ブロックはコンクリート材質であって、築造しようとする擁壁の高さ、勾配、地盤の与件、施工性などを考慮して、横または縦の長さを略３０〜１５０ｃmに小型化または大型化製作が可能である。
【００２８】
一方、図１に示すように、植生ブロックの前面Ａに模様５０が凹んで形成されることができ、これとは異なり、凸な模様が形成されることもできる。また、植生ブロックの前面Ａが自然石のような質感及び色彩を有するようにすることができる。
【００２９】
本実施形態に従う植生ブロックは、図１及び図２に示すように、植生孔１０、第１及び第２突出部２２、２４、第１及び第２溝部３２、３４が形成されており、植生孔１０には第１植生網４０ａが備えられる。
【００３０】
植生孔１０は植生空間及び排水路を提供する役目をする。本実施形態によれば、植生孔１０は矩形の垂直断面を有し、前面Ａと背面Ｂとを貫通して１つが形成される。植生孔１０は、ブロックの強度、植生空間の広さ、排水能力などを考慮してサイズを異にして形成できる。また、植生孔１０の内部には植物の生育のための土壌が詰められるようになる。この際、有機物質が多量含まれた植生土を詰めることによって、植物の生育を増進させることができる。そして、擁壁が施工された以後に、草・木本類を選択して植生孔１０の土壌に植栽することができ、草・木本類の種や根を含有させることによって、自然芽生えするようにすることができる。
【００３１】
第１突出部２２と第１溝部３２は、隣り合う上下ブロック間の噛合い結合のために互いに対応する形状を有する。本実施形態によれば、第１突出部２２と第１溝部３２が植生ブロックの下面Ｄと上面Ｃに各々形成される。そして、本実施形態によれば、第１突出部２２と第１溝部３２は、下面Ｄと上面Ｃの長手方向に沿って直線形態で長く形成される。これは、成形製作の容易性と強度の向上、そしてブロック間の結合力の強化のためのものである。
【００３２】
第２突出部２４と第２溝部３４は、隣り合う左右ブロック間の噛合い結合のために、互いに対応する形状を有する。本実施形態によれば、第２突出部２４と第２溝部３４が植生ブロックの左側面Ｅと右側面Ｆに各々形成される。これとは異なり、左側面Ｅと右側面Ｆの位置を異にして形成されることもできる。そして、第２突出部２４と第２溝部３４も左側面Ｅと右側面Ｆの長手方向に沿って直線形態で長く形成される。
【００３３】
第１植生網４０ａは、耐食性に優れる合成繊維、金属などで製作される。この際、網の間隔は土壌の流失を防止すると共に、植物の成長に邪魔にならないように一定に形成されることが好ましい。本実施形態によれば、第１植生網４０ａは、植生孔１０の先端に固定設置されて植生孔１０の内部の土壌が雨水などにより前方に過度に流失することを防止するようになる。一方、木本類のように葉脈及び根の大きい植物が植生孔１０に植栽される場合には、第１植生網４０ａが備えられないことがある。その理由は、木本植物の深く、かつ大きい根により土壌の流失を十分に防止することができ、木本植物の生育を妨害しないようにするためのものである。
【００３４】
本実施形態によれば、第１植生網４０ａの容易な設置のために、図１及び図２に示すように、植生孔１０の先端側の縁が突出延長形成されることによって、植生孔１０の内部に安着面１２が備えられる。そして、安着面１２には多数のボルト１４が固定設置される。そして、第１植生網４０ａは植生孔１０の後方側から引込させ、矩形の固定片４２とナット４３とを用いて第１植生網４０ａを固定させるようになる。第１植生網４０ａの固定方法はこれに限定されず、フック結合と方式が適用されることもできる。
【００３５】
図３は、第１実施形態に従う植生ブロックの変形例を示す分解斜視図である。一方、本実施形態に従う植生ブロックは、図３に示すように、植生孔１０の垂直断面が円形でありうる。そして、植生孔１０の先端側の縁が段差付けて形成された安着面１２′が備えられることができる。この際、安着面１２′には多数のボルト１４が備えられ、円形の固定片４２′とナット４３とを用いて植生孔１０の前方側で円形の第１植生網４０ａを固定させることができる。本変形例を通じて植生孔１０を円形または多角形で形成することによって、擁壁の景観イメージをより多様に創出することができる。
【００３６】
図４は、第１実施形態に従う植生ブロックの他の変形例を示す側断面図である。また、本実施形態に従う植生ブロックは、図４に示すように、植生孔１０の後段側の縁が段差付けて形成された安着面１２″を更に備え、第２植生網４０ｂが追加的に固定設置できる。第２植生網４０ｂは背面Ｂの土壌が植生孔１０に流入することを防止して擁壁の安定化をもたらす役目をするだけでなく、植生孔１０の内部に植物の種や根を含む植生土を直接積載して組積することができる。特に、河岸や海岸、用水路など、水生植物の安定した植生を図ることができる。
【００３７】
図５ａは、第１実施形態に従う植生ブロックの組積例を示す図である。本発明に従う植生ブロックは、図５ａに示すように、植生ブロック１を別の接着剤無しで、便利に格子形態で組立てて組積することができる。この際、それぞれの植生ブロック１は、上下左右の隣り合う植生ブロックに互いに噛み合い結合されることによって、擁壁の強度が向上する。また、植生ブロック１は同一平面上に配列され、植生ブロック１に形成された模様５０により築造された擁壁の景観イメージを多様に創出できる。また、植生孔１０に植栽される植物の種類または色彩を適切に選択して模様５０と調和させることによって、擁壁の景観イメージを多様に創出できる。たとえ本図面では一貫した形態の規則的模様５０が形成されて表現されているが、この際、自然石のような不規則的なデコボコな形態の模様を形成して、より親環境的な感じの擁壁を築造することができることは言うまでもない。
【００３８】
図５ｂは、第１実施形態に従う植生ブロックの他の組積例を示す図である。本発明に従う植生ブロックは、図５ｂに示すように、植生ブロック１を上下交互に組立てて組積することができる。そして、半切れの補助ブロック２を用いて仕上作業が可能である。このような組積方式により擁壁をより堅く築造することができる。
【００３９】
（第２実施形態）
以下、図６を参照しつつ本発明の第２実施形態に従う親環境植生ブロックについて説明する。
【００４０】
図６は、本発明の第２実施形態に従う親環境植生ブロックを示す斜視図である。第２実施形態に従う植生ブロックは、図６に示すように、第１実施形態に比べてサイズの小さい植生孔１０″は多数備えられて多孔性ブロックを構成することに特徴がある。本実施形態によれば、矩形の植生孔１０″は格子形態で規則的に配列される。これとは異なり、植生孔１０″は円形であることがあり、植生孔１０″が放射状で配列されることもでき、不規則的に配列されることもできることは言うまでもない。本実施形態によれば、多数の植生孔１０″を通じて草本類のように、比較的小さな植物が植生できる。そして、植生孔１０″は比較的狭く形成されるため、第１実施形態の植生網４０無しで、植生孔１０″の内部の土壌が流失されることが防止できる。
【００４１】
（第３実施形態）
以下、図７ａ及び図７ｂを参照しつつ本発明の第３実施形態に従う親環境植生ブロックについて説明する。
【００４２】
図７ａは、本発明の第３実施形態に従う親環境植生ブロックを示す斜視図である。第３実施形態に従う植生ブロックは、図７ａに示すように、第１ブロック６０と第２ブロック７０とからなることを特徴とする。第１及び第２ブロック６０、７０は、全体的に前面Ａ、背面Ｂ、上面Ｃ、下面Ｄ、左側面Ｅ、及び右側面Ｆを備えた直六面体形状を持つ。そして、前面Ａと背面Ｂとの間に厚さが前面Ａの横または縦の長さより小さく形成されてパネル形態で製作される。第１及び第２ブロック６０、７０の植生孔１０、植生網４０、及び施工方法に関する事項は第１及び第２実施形態と重複されるので、詳細な説明は省略する。
【００４３】
第１ブロック６０は、第２ブロック７０が上下左右で噛合い結合できるように、上面Ｃ、下面Ｄ、及び左側面Ｅに所定形状の第３乃至第５突出部６１、６２、６３が各々形成され、右側面Ｆには所定形状の第３溝部６５が形成される。本実施形態によれば、第３乃至第５突出部６１、６２、６３と第３溝部６５が各面の長手方向に沿って直線形態で長く形成される。
【００４４】
第２ブロック７０は、第１ブロック６０の第３乃至第５突出部６１、６２、６３と各々対応する形状を有する第４乃至第６溝部７１、７２、７３が下面Ｄ、上面Ｃ、右側面（Ｆ）に各々形成される。そして、第１ブロック６０の第３溝部６５と対応する形状を有する第６突出部７５が左側面Ｅに形成される。これによって、第２ブロック７０は第１ブロック６０が上下左右で噛合い結合できる。
【００４５】
図７ｂは、第３実施形態に従う植生ブロックの組積例を示す図である。第３実施形態に従う植生ブロックは、図７ｂに示すように、第１ブロック６０と第２ブロック７０とが互いに上下左右で噛合い結合されて格子形態で組積される。第３実施形態に従う植生ブロックは、第１ブロック６０と第２ブロック７０の突出部６１、６２、６３、７５、及び溝部７１、７２、７３、６５が多方向に結合される構造であるので、第１及び第２実施形態に比べてより堅い擁壁の築造が可能である。
【００４６】
（植生ブロックの施工方法）
以下、添付された図面を参照しつつ親環境植生ブロックを用いた施工方法について説明する。
【００４７】
図８は本発明に従う親環境植生ブロックを用いた施工方法を示すフローチャートであり、図９は本発明に従う植生ブロックの施工方法を説明するための概略的な鳥瞰図である。本施工方法は、陸上の各種斜面、河岸、護岸、海岸などに擁壁構造物を築造することに適用できる。また、用水路の設置にも適用できる。本発明に従う施工方法を適用する前に、施工対象の地盤の与件、降水量などを考慮して、擁壁の築造高さ、勾配、植生ブロックのサイズ、植生孔の形態及びサイズなどを計画しなければならない。そして、図７に示すような４ステップの擁壁施工手続きを経るようになる。
【００４８】
第１ステップ（Ｓ１００）は、図８に示すように、施工対象の地盤にコンクリート打設して水平側基壇部２１０と多数の垂直側基壇部２２０を形成させるようになる。この際、地盤が弱い場合には下地コンクリート層１００を先に形成させなければならない。一方、水平側基壇部２１０は地盤に平行に設置され、多数の垂直側基壇部２２０は計画された間隔で施工しようとする擁壁の勾配（α）に従い水平側基壇部２１０と一定な角（α）をなすように設置される。この際、本発明に従う施工方法は擁壁の勾配（α）を略０〜９０°にすることができる。また、垂直側基壇部２２０は階段で造成して活用することも可能である。
【００４９】
一方、水平側基壇部２１０は植生ブロック１の第１突出部２２と対応する結合溝２３１が備えられ、垂直側基壇部２２０は植生ブロック１の第２突出部２４または第２溝部３４と対応する結合溝２３１または結合突起２３３が備えられる。この際、本実施形態によれば、図８に示すように、結合溝２３１が形成されたブロック固定用金属部材２３０ａと結合突起２３３が形成されたブロック固定用金属部材２３０ｂが固定アンカー２３４により水平側基壇部２１０と垂直側基壇部２２０に固定設置される。これによって、水平側基壇部２１０と垂直側基壇部２２０の耐久性が向上し、擁壁をより堅く築造できる。そして、図８に示すように、所定角（β）を持つ擁壁の隅部を築造する場合には、所定角度（β）だけ傾いた結合突起２３３′が形成されたブロック固定用金属部材２３０ｃを垂直側基壇部２２０に固定設置して擁壁の隅部を容易に築造することができる。
【００５０】
第２ステップ（Ｓ２００）は、図８に示すように、多数の植生ブロック１を水平側基壇部２１０の結合溝２３１に噛合い結合させて１段組積するようになる。この際、植生ブロック１は互いに左右噛合い結合するようになる。そして、左右両端に位置した植生ブロック１は、水平側基壇部２１０の結合溝２３１と結合突起２３３に各々噛合い結合される。これによって堅い擁壁を簡便に施工することができる。
【００５１】
第３ステップ（Ｓ３００）は、１段組積された植生ブロック１の背面に裏埋材３００を盛土して固め作業をするようになる。この際、裏埋材３００を盛土する前に植生ブロック１の植生孔１０に草・木本類の種や根が含まれた植生土を具備させることができる。また、裏埋材３００のうち、植生ブロック１と接する部位には透水性の良い砂利、砂などを詰めることによって、擁壁の排水能力を強化できる。即ち、裏埋材３００に流入した雨水、地下水などが植生ブロック１の植生孔１０を通じて速く排出されることによって、擁壁の安定化をもたらして寿命が格段に向上することができる。
【００５２】
第４ステップ（Ｓ４００）は、前述した第２ステップ（Ｓ２００）と第３ステップ（Ｓ３００）と同一な方式の擁壁築造過程を順次に反復遂行するようになる。一方、本発明の施工方法では擁壁をより強化するために補強土工法が適用できる。即ち、植生ブロック１を１ステップずつ築造する度にジオテキスタイル、ジオグリッドのような土木繊維（図示せず）を植生ブロック１の背面に固定し、裏埋材３００を土木繊維（図示せず）に盛土することによってなされる。
【００５３】
以上、説明したように、本発明に従う親環境植生ブロックを用いた施工方法は、水平側基壇部２１０と垂直側基壇部２２０とを用いて多数の植生ブロック１を平面形態で組立施工することができ、植生ブロック１同士間の結合力が強いため、斜面の勾配（α）が殆ど垂直に近くても堅い擁壁を施工することができる。
【００５４】
（適用例）
図１０は、本発明に従う親環境植生ブロックを用いて施工された河川や用水路を示す概略的な断面図である。前述した施工方法を用いて、図９に示すように、河川や用水路が形成できる。即ち、一対で設置される水平側基壇部２１０ａの間に植生ブロック１で底部を形成し、水平側基壇部２１０ａと多数の垂直側基壇部（図示せず）とを用いて用水路の左右側面に擁壁構造物を設置するようになる。そして、天端には天端部支持台２１０ｂにより仕上作業をするようになる。
【００５５】
このように施工された河川や用水路は、植生ブロック１の植生孔１０に植物が生育できる植生空間が設けられる。この際、植生孔１０で植生する植物の根は、河川や用水路の底と左右側背面の土壌により成長できる。これによって、擁壁が築造された以後に植物の根が徐々に成長するにつれて、擁壁が次第に強化される効果が期待できる。
【００５６】
また、水が流れる底部では水生植物４００が植生孔１０で植生できるようになって、水質浄化の効果をもたらすようになる。だけでなく、水草の周囲に各種魚類と昆虫の生息処が設けられて水辺生態系を保存及び復元できるようになる。
【符号の説明】
【００５７】
Ａ    前面
Ｂ    背面
Ｃ    上面
Ｄ    下面
Ｅ    左側面
Ｆ    右側面
１０、１０′、１０′    植生孔
１２、１２′、 １２″    安着面
１４    ボルト
２２    第１突出部
２４    第２突出部
３２    第１溝部
３４    第２溝部
４０ａ、４０ａ′    第１植生網
４０ｂ    第２植生網
４２、４２′    固定片
４３    ナット
５０    模様
６０    第１ブロック
６１    第３突出部
６２    第４突出部
６３    第５突出部
６５    第３溝部
７０    第２ブロック
７１    第４溝部
７２    第５溝部
７３    第６溝部
７５    第６突出部
１    植生ブロック
２    補助ブロック
１００    下地コンクリート層
２１０    水平側基壇部
２２０    垂直側基壇部
２３０ａ、２３０ｂ、２３０ｃ    ブロック固定用金属部材
２３１    結合溝
２３３、２３３′    結合突起
２３４    固定アンカー
３００    裏埋材
４００    水生植物
【図１】
2011144614.tif 000003
【図２】
2011144614.tif 000004
【図３】
2011144614.tif 000005
【図４】
2011144614.tif 000006
【図５ａ】
2011144614.tif 000007
【図５ｂ】
2011144614.tif 000008
【図６】
2011144614.tif 000009
【図７ａ】
2011144614.tif 000010
【図７ｂ】
2011144614.tif 000011
【図８】
2011144614.tif 000012
【図９】
2011144614.tif 000013
【図１０】
2011144614.tif 000014